(57)【特許請求の範囲】
【請求項１】
複数のＬＥＤと、該複数のＬＥＤが実装される基板と、該基板が取り付けられる取付面を有する取付部材と、前記取付部材に設けられる支持部材と、を備え、
前記基板は、長尺且つ板状であって、長手方向に沿って前記複数のＬＥＤが実装されており、
前記支持部材は、第１規制部と、第２規制部と、第３規制部と、第４規制部とを備え、前記取付面の所定位置へ前記取付面に沿ってスライドされた前記基板を支持しており、
前記第１規制部は、前記所定位置に対して前記基板の短手方向への前記基板の移動を規制し、
前記第２規制部は、前記所定位置に対して前記基板の長手方向における第１方向への前記基板の移動を規制し、
前記第３規制部は、前記所定位置に対して前記基板の厚み方向への前記基板の移動を規制し、
前記第４規制部は、前記所定位置へ前記第１方向でスライドされた前記基板の長手方向における前記第１方向と反対の第２方向側の端縁と当接することで、前記所定位置に対して前記第２方向への前記基板の移動を規制し、
前記基板は、前記基板の短手方向の端部に凹状に設けられた嵌部を有し、
前記第２規制部は、前記取付面から突出した突部を有し、前記突部における前記第２方向の端部が前記嵌部の内壁に当接し、
前記第３規制部は、前記突部の先端から前記第２方向に沿って延出した延部を有することを特徴とする光源ユニット。
【請求項２】
前記第１規制部と、前記第２規制部と、前記第３規制部のうちのいずれか２つ以上は、１つの部材で兼用されていることを特徴とする請求項１に記載の光源ユニット。
【請求項３】
前記第４規制部は、前記基板の厚み方向に沿って変位可能な弾性を有しており、
前記基板を前記取付部材に対して前記第１方向へスライドさせている間において、前記基板に押されて撓み、前記基板が前記所定位置に配置されることで復元していることを特徴とする請求項１または請求項２に記載の光源ユニット。
【請求項４】
前記第４規制部は、前記取付部材の一部が起こされて、前記取付面から突出していることを特徴とする請求項１または請求項２に記載の光源ユニット。
【請求項５】
前記第４規制部は、前記取付部材に取り付けられて、前記取付面から突出していることを特徴とする請求項１または請求項２に記載の光源ユニット。
【請求項６】
前記基板は、外部から前記ＬＥＤへ給電する外部端子部を備えており、
前記外部端子部は、前記基板の前記端縁と長手方向の反対側の端部に設けられていることを特徴とする請求項１ないし請求項５のいずれか１項に記載の光源ユニット。
【請求項７】
請求項１ないし請求項６のいずれか１項に記載の前記光源ユニットと、該光源ユニットが取り付けられる器具本体とを備えたことを特徴とする照明器具。
【発明の詳細な説明】
【技術分野】
【０００１】
本発明は、光源ユニットおよび照明器具に関し、特に、ＬＥＤを光源とする光源ユニットおよびそれを備えた照明器具に関する。
【背景技術】
【０００２】
近年、ＬＥＤを光源とする光源ユニットが利用され始めている。この種の光源ユニットとしては、ＬＥＤが実装される基板と、基板が取り付けられる取付部材と、を備えた構造が知られている（たとえば、特許文献１）。
【０００３】
特許文献１の光源ユニットでは、基板は、長い矩形板状に形成されている。取付部材は、基板が取り付けられる取付面と、基板を取付面側に押圧して固定するかしめ部と、を有している。かしめ部は、取付部材の一部を切り起こすことで形成されている。かしめ部は、基板の幅方向における両側に設けられていれる。かしめ部は、基板の長辺に沿って設けられる。基板は、かしめ部が折り曲げられることで、取付部材に固定される。
【先行技術文献】
【特許文献】
【０００４】
【特許文献１】特開２０１４−１１６２９９号公報
【発明の概要】
【発明が解決しようとする課題】
【０００５】
ところで、光源ユニットでは、より組立作業性の優れた構成が求められており、上述の光源ユニットの構成だけでは十分でなく、更なる改良が求められている。
【０００６】
本発明の目的は、より組立作業性の優れた光源ユニットおよび照明器具を提供することにある。
【課題を解決するための手段】
【０００７】
本発明の光源ユニットは、複数のＬＥＤと、基板と、取付部材と、支持部材と、を備えている。上記基板は、上記複数のＬＥＤが実装される。上記取付部材は、上記基板が取り付けられる取付面を有している。上記支持部材は、上記取付部材に設けられている。上記基板は、長尺且つ板状の外形形状をしている。上記基板は、長手方向に沿って、上記複数のＬＥＤが実装されている。上記支持部材は、第１規制部と、第２規制部と、第３規制部と、第４規制部とを備えている。上記支持部材は、上記取付面の所定位置へ上記取付面に沿ってスライドされた上記基板を支持している。上記第１規制部は、上記所定位置に対して上記基板の短手方向への上記基板の移動を規制する。上記第２規制部は、上記所定位置に対して上記基板の長手方向における第１方向への上記基板の移動を規制する。上記第３規制部は、上記所定位置に対して上記基板の厚み方向への上記基板の移動を規制する。上記第４規制部は、上記所定位置へ上記第１方向でスライドされた上記基板の長手方向における上記第１方向と反対の第２方向側の端縁と当接する。上記第４規制部は、上記基板の端縁と当接することで、上記所定位置に対して上記第２方向への上記基板の移動を規制する。上記基板は、上記基板の短手方向の端部に凹状に設けられた嵌部を有する。上記第２規制部は、上記取付面から突出した突部を有する。上記突部における上記第２方向の端部が上記嵌部の内壁に当接し、上記第３規制部は、上記突部の先端から上記第２方向に沿って延出した延部を有する。
【０００８】
本発明の照明器具は、上述の上記光源ユニットと、当該光源ユニットが取り付けられる器具本体とを備えたことを特徴とする。
【発明の効果】
【０００９】
本発明の光源ユニットは、より組立作業性の優れた構造とすることが可能となる。
【００１０】
本発明の照明器具は、より組立作業性の優れた光源ユニットを備えた構成とすることができる。
【図面の簡単な説明】
【００１１】
【図１】図１は、実施形態１の光源ユニットの要部を説明する一部破断した斜視図である。
【図２】図２は、実施形態１の光源ユニットの要部を説明する平面図である。
【図３】図３は、実施形態１の光源ユニットの要部を示す断面図である。
【図４】図４Ａ、図４Ｂおよび図４Ｃは、それぞれ実施形態１の光源ユニットの組立工程を説明する斜視説明図である。
【図５】図５は、実施形態１の光源ユニットを備えた照明器具を示す分解斜視図である。
【図６】図６は、実施形態１の光源ユニットを備えた照明器具を示す断面図である。
【図７】図７は、実施形態１の光源ユニットを備えた照明器具を示す斜視図である。
【図８】図８Ａおよび図８Ｂは、それぞれ実施形態２の光源ユニットの組立工程を説明する斜視説明図である。
【図９】図９は、実施形態３の光源ユニットの組立工程を説明する斜視説明図である。
【発明を実施するための形態】
【００１２】
（実施形態１）
以下では、本実施形態の光源ユニット１０について、図１ないし図４を参照して説明する。図５ないし図７では、光源ユニット１０を備えた照明器具３０について説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１３】
本実施形態の光源ユニット１０は、図１ないし図３に示すように、複数のＬＥＤ１と、基板２と、取付部材３と、支持部材４と、を備えている。基板２は、複数のＬＥＤ１が実装される。取付部材３は、基板２が取り付けられる取付面３ａａを有している。支持部材４は、取付部材３に設けられている。基板２は、長尺且つ板状の外形形状をしている。基板２は、長手方向に沿って、複数のＬＥＤ１が実装されている。支持部材４は、第１規制部４ａと、第２規制部４ｂと、第３規制部４ｃと、第４規制部４ｄとを備えている。支持部材４は、取付面３ａａの所定位置へ取付面３ａａに沿ってスライドされた基板２を支持している。第１規制部４ａは、上記所定位置に対して、基板２の短手方向への基板２の移動を規制する。第２規制部４ｂは、上記所定位置に対して、基板２の長手方向における第１方向への基板２の移動を規制する。図１では、矢印１０ａａで、第１方向を例示している。第３規制部４ｃは、上記所定位置に対して、基板２の厚み方向への基板２の移動を規制する。第４規制部４ｄは、上記所定位置へ上記第１方向でスライドされた基板２の長手方向における上記第１方向と反対の第２方向側の端縁２ａｄと当接する。図１では、矢印１０ａｂで、第２方向を例示している。第４規制部４ｄは、基板２の端縁２ａｄと当接することで、上記所定位置に対して上記第２方向への基板２の移動を規制する。
【００１４】
本実施形態の光源ユニット１０では、上記所定位置へ上記第１方向にスライドされた基板２の端縁２ａｄと、第４規制部４ｄとが当接する構成で、より組立作業性の優れた構造とすることが可能となる。
【００１５】
本実施形態の光源ユニット１０は、図５に示すように、ＬＥＤ１と基板２と取付部材３と支持部材４に加え、カバー部材５と、カバーエンド６と、電源ユニット８と、を備えている。光源ユニット１０は、２つの基板２が取付部材３に取り付けられる。２つの基板２は、長手方向に沿って、一直線状に取付部材３に配置されている。カバー部材５は、基板２を覆うように、取付部材３に取り付けられる。光源ユニット１０は、外部からの電力が電源ユニット８に給電されるように構成されている。電源ユニット８は、所定の電力をＬＥＤ１に供給できるように構成されている。
【００１６】
ＬＥＤ１は、ＬＥＤチップ１ａと、パッケージ１ｂと、封止部１ｃとを有している。パッケージ１ｂは、凹所を備えている。パッケージ１ｂは、ＬＥＤチップ１ａを凹所に収納する。封止部１ｃは、パッケージ１ｂの凹所でＬＥＤチップ１ａを覆う。ＬＥＤチップ１ａは、たとえば、青色ＬＥＤチップを用いることができる。パッケージ１ｂは、セラミック材料や樹脂材料を用いて、形成することができる。パッケージ１ｂの矩形状の底面には、２つの電極が設けられている。パッケージ１ｂの一方の電極は、凹所に収納されたＬＥＤチップ１ａの正極と電気的に接続されている。パッケージ１ｂの他方の電極は、凹所に収納されたＬＥＤチップ１ａの負極と電気的に接続されている。電極は、たとえば、めっき処理された銅材を用いることができる。銅材は、たとえば、銀やニッケルなどでめっき処理することができる。封止部１ｃは、透光性の封止材料によって形成されている。封止部１ｃの封止材料としては、たとえば、シリコーン樹脂、エポキシ樹脂もしくはガラスなどを用いることができる。封止部１ｃは、黄色蛍光体が含有されていてもよい。黄色蛍光体は、青色ＬＥＤチップから放射される青色光で励起されて黄色光を放射する。
【００１７】
ＬＥＤ１は、青色ＬＥＤチップと、黄色蛍光体とで白色ＬＥＤを構成することができる。白色ＬＥＤは、青色ＬＥＤチップから放射される青色光と、黄色蛍光体から放射される黄色光との混色により白色光を放射させることができる。ＬＥＤ１の蛍光体は、たとえば、黄色蛍光体と赤色蛍光体とを混合させた蛍光体を用いてもよい。ＬＥＤ１は、適宜にＬＥＤチップ１ａと蛍光体とを組み合わせることで、所望の色の光を発光するように構成することができる。ＬＥＤ１は、蛍光体の種類を変えて、たとえば、ＪＩＳＺ ９１１２における昼光色、昼白色、白色、温白色及び電球色の光源色の区分の光を放出する白色ＬＥＤを構成することができる。ＬＥＤ１は、紫外ＬＥＤチップと、赤色蛍光体、緑色蛍光体および青色蛍光体とを組み合わせて構成してもよい。ＬＥＤ１は、青色ＬＥＤチップや紫外線ＬＥＤチップを用いる場合だけに限られず、青緑色ＬＥＤチップ、緑色ＬＥＤチップ、黄緑色ＬＥＤチップ、黄色ＬＥＤチップ、橙色ＬＥＤチップ、赤色ＬＥＤチップなどを適宜に用いることもできる。ＬＥＤ１は、所定の配光の光を放出できるように、レンズを備えていてもよい。ＬＥＤ１は、ＬＥＤチップ１ａだけで構成されていてもよい。ＬＥＤ１は、半田からなる接合部により、基板２に設けられた配線と電気的に接続させることができる。
【００１８】
基板２は、表面２ａａに所定の形状の配線を備えている。配線は、複数のＬＥＤ１を適宜に電気的に接続させることができる。複数のＬＥＤ１は、基板２の短手方向における中央部において、基板２の長手方向に沿って直線状に配置されている。基板２は、複数のＬＥＤ１をライン状に１列に配置する構成だけに限られない。基板２は、ライン状に１列に配置された複数のＬＥＤ１の一群を、基板２の短手方向に沿って、２列以上で配置させた構成としてもよい。光源ユニット１０は、ライン状に配置された複数のＬＥＤ１の１列を、基板２の短手方向に沿って、複数の列で配置させることで、より光出力を向上させることが可能となる。基板２は、異なる色の光を発光する複数のＬＥＤ１を備える場合、異なる色の光を発光する複数のＬＥＤ１のうち、同じ色の光を発光する複数のＬＥＤ１の郡ごとに個別に点灯できるように電気的に接続させてもよい。基板２は、ライン状に１列に配置された複数のＬＥＤ１の一群を平行に２列に配置させる場合、ＬＥＤ１を千鳥状に配置させてもよい。
【００１９】
基板２は、複数の嵌部２ｃａを備えている。嵌部２ｃａは、支持部材４と嵌め合すことができるように構成されている。複数の嵌部２ｃａは、基板２の長手方向に沿って設けられている。嵌部２ｃａは、基板２の短手方向の両端に設けられている。嵌部２ｃａは、基板２の厚み方向に沿って、切り欠かれるように設けられている。嵌部２ｃａは、基板２の長手方向に沿って設けられた溝の構造だけに限らない。嵌部２ｃａは、基板２の厚み方向に貫通する孔で構成されてもよい。孔は、平面視において、矩形状に形成することができる。嵌部２ｃａは、嵌め合わせられる支持部材４が導電性を有する場合、基板２の厚み方向に貫通する孔を基板２に設ける場合と比較して、基板２の短手方向における支持部材４から配線までの絶縁距離を大きくできる。
【００２０】
基板２には、図２で示すように、外部端子部２ｃを備えた構成とすることができる。外部端子部２ｃは、基板２の長手方向における一端部に設けられている。外部端子部２ｃは、基板２の表面２ａａに表面実装されている。外部端子部２ｃは、半田からなる接合部により、基板２の配線と接合されている。外部端子部２ｃは、基板２の配線と電気的に接続されて、複数のＬＥＤ１に電力を給電できるように構成されている。外部端子部２ｃは、外部からＬＥＤ１へ給電することができるように構成されている。
【００２１】
本実施形態の光源ユニット１０では、基板２は、外部からＬＥＤ１へ給電する外部端子部２ｃを備えている。外部端子部２ｃは、基板２の端縁２ａｄと長手方向の反対側の端部２ａｅに設けられていることが好ましい。
【００２２】
光源ユニット１０では、基板２の端縁２ａｄと反対側の端部２ａｅに外部端子部２ｃを備えることで、第４規制部４ｄの構造を簡略化することができる。
【００２３】
外部端子部２ｃは、２つの基板２のうち、一方の基板２にだけ設けられている。以下では、外部端子部２ｃを備えていない基板２を第１基板２ａと称し、外部端子部２ｃが設けられた基板２を第２基板２ｂと称する。第１基板２ａは、隣接する第２基板２ｂの外部端子部２ｃと電気的に接続する第１コネクタ部２ｄを備えている。第１基板２ａは、電源ユニット８と電気的に接続する第２コネクタ部２ｅを備えている。第２コネクタ部２ｅは、給電用の電線８ｆと電気的に接続される。電線８ｆは、リード線を用いている。第２コネクタ部２ｅは、電線８ｆを用いて、電源ユニット８と電気的に接続させることができる。第２コネクタ部２ｅは、給電用の電線の先端に設けられたプラグコネクタが差込接続されるように構成されている。第１基板２ａは、第１コネクタ部２ｄを用いて、隣接する第２基板２ｂに電力を給電させることができる。第２基板２ｂは、第１基板２ａと電気的に接続される。外部端子部２ｃは、隣接する基板２の第１コネクタ部２ｄと接続されるコネクタを用いることができる。外部端子部２ｃは、隣接する基板２の第１コネクタ部２ｄを介して、電源ユニット８からの電力を受電できるように構成されている。光源ユニット１０は、第２基板２ｂだけを用いて構成してよいし、第２基板２ｂと複数の第１基板２ａとを用いて構成してもよい。光源ユニット１０は、複数の第１基板２ａと複数の第２基板２ｂとを備えた構成としてもよい。
【００２４】
基板２は、たとえば、プリント基板を用いることができる。基板２は、プリント基板だけに限らず、たとえば、セラミック基板、金属ベースプリント配線板などを用いてもよい。配線の材料としては、たとえば、銅や銅合金を用いることができる。基板２は、表面２ａａに、ＬＥＤ１、外部端子部２ｃ、第１コネクタ部２ｄや第２コネクタ部２ｅの搭載部位以外を白色のレジスト層などで覆うことができる。基板２は、白色のレジスト層で、反射層を形成することができる。反射層は、ＬＥＤ１から放射された光が基板２に吸収されることを抑制することができる。
【００２５】
取付部材３は、長尺状の外形形状をしている。取付部材３は、底壁部３ａと、一対の側壁部３ｂとを有している。取付部材３は、図３に示すように、断面視において、底壁部３ａと一対の側壁部３ｂとで、Ｃ字状に形成されている。底壁部３ａは、平面視において、長尺の矩形状に形成されている。側壁部３ｂは、底壁部３ａの短手方向における両端から底壁部３ａと直交する方向に延びるように設けられている。側壁部３ｂの先端には、外方に向かって突出する突出部３ｄが設けられている。取付部材３は、長手方向の全長に亘って、突出部３ｄを設けている。突出部３ｄは、カール形状に形成されている。底壁部３ａの中央部には、長手方向に沿って、凹所３ｃａが設けられている。凹所３ｃａは、底部３ｃｂと、一対の側部３ｃｃと、を備えている。底部３ｃｂは、平面視において、長尺の矩形状に形成されている。側部３ｃｃは、底部３ｃｂの長手方向に沿って、底部３ｃｂから立ち上がるように設けられている。
【００２６】
取付部材３は、底部３ｃｂの所定位置に２つの基板２が配置できるように構成されている。一対の側部３ｃｃは、底部３ｃｂから離れるにつれ、互いの距離が広がるように設けられている。側部３ｃｃの表面は、ＬＥＤ１からの光を反射する反射面を構成している。凹所３ｃａは、光を反射する機能を備えることで、ＬＥＤ１からの光を有効利用できる。取付部材３は、基板２の表面２ａａと反対の裏面２ａｂを取付面３ａａに配置させている。底壁部３ａの長手方向の一端部には、厚み方向に貫通する貫通孔３ａｆが設けられている。貫通孔３ａｆには、図５に示す電源ユニット８と基板２とを電気的に接続させる電線８ｆを通すことができるように構成されている。
【００２７】
取付部材３は、金属材料により形成されている。取付部材３は、板金に曲げ加工を施すことにより形成することができる。取付部材３は、たとえば、鋼板を用いて形成することができる。取付部材３の材料は、鋼板だけに限られず、アルミニウム、銅やステンレスなどの金属材料により形成してもよい。光源ユニット１０は、基板２の裏面２ａｂを金属材料より形成された取付部材３の取付面３ａａに当接させて、取付部材３を放熱板として利用することができる。光源ユニット１０は、取付部材３の材料を樹脂に比べて熱伝導性の高い鋼板により形成している場合、ＬＥＤ１で発生した熱を、取付部材３を通して効率よく外部に放熱させることが可能となる。
【００２８】
取付部材３は、支持部材４の一部として、第１ストッパ４ｒを有している。第１ストッパ４ｒは、基板２の移動を規制することができる。第１ストッパ４ｒは、突部４ａａと、延部４ａｂと、を有している。突部４ａａは、取付部材３の底部３ｃｂから突出している。突部４ａａは、基板２の長手方向に沿った嵌部２ｃａの長さよりも、基板２の長手方向に沿った長さが短くなるように形成されている。延部４ａｂは、基板２の長手方向に沿って、突部４ａａの先端から延出するように形成されている。第１ストッパ４ｒは、突部４ａａと延部４ａｂとでＬ字状の外形形状に形成されている。第１ストッパ４ｒは、取付部材３を構成する金属板の打ち抜き加工の後、Ｌ字状の部分を立ち上がるように折り曲げ加工することで形成することができる。図２の紙面の上方においては、折り曲げ前の第１ストッパ４ｒを二点鎖線で例示している。第１ストッパ４ｒは、切り起こされた部分が基板２の嵌部２ｃａに嵌め合うことができるように形成される。第１ストッパ４ｒは、底部３ｃｂを切り起こすことで形成することができる。複数の第１ストッパ４ｒそれぞれは、延部４ａｂが突部４ａａから同じ方向に突出するように設けられている。支持部材４は、嵌部２ｃａに挿通させた第１ストッパ４ｒを用いて、基板２の移動を規制することができる。突部４ａａは、嵌部２ｃａに挿通できるように構成されている。突部４ａａは、嵌部２ｃａに対応する位置に設けられている。光源ユニット１０は、基板２が取付部材３に取り付けられた状態で、金属製の突部４ａａと、基板２の配線との電気的な絶縁距離を確保できるように構成されている。光源ユニット１０は、第１ストッパ４ｒが導電性を有する場合、特許文献１のごとく基板がかしめ固定される場合と比較して、基板２の短手方向における第１ストッパ４ｒと配線との絶縁距離を確保することが容易となる。光源ユニット１０は、第１ストッパ４ｒと配線との絶縁距離を確保することで、基板２の表面における配線の引き回しの自由度を高めることが可能となる。
【００２９】
支持部材４は、複数の第１ストッパ４ｒを有している。第１ストッパ４ｒは、基板２の短手方向における基板２の両側を挟み持つことができるように設けられている。一対の第１ストッパ４ｒは、基板２の短手方向で対向して配置されていることが好ましい。第１ストッパ４ｒは、基板２の短手方向における基板２の両側を挟み込むように設けられることで、基板２の短手方向への基板２の移動を規制する第１規制部４ａとして機能する。複数の第１ストッパ４ｒは、長尺の基板２を支持できるように、取付部材３の長手方向に沿って設けられていることが好ましい。
【００３０】
支持部材４は、延部４ａｂと底部３ｃｂとの間に基板２を挟み込むことで、基板２の厚み方向への基板２の移動を規制することができる。第１ストッパ４ｒは、延部４ａｂと底部３ｃｂとの間に基板２を挟み込むことで、基板２の厚み方向への基板２の移動を規制する第３規制部４ｃとして機能する。第１ストッパ４ｒは、突部４ａａと嵌部２ｃａの内壁とが当接することで、基板２の長手方向における第１方向への基板２の移動を規制する第２規制部４ｂを構成することができる。
【００３１】
第１ストッパ４ｒは、第１規制部４ａと第２規制部４ｂと第３規制部４ｃとの一部を兼用している。第１ストッパ４ｒは、基板２の短手方向への基板２の移動を規制する第１規制部４ａだけを構成してもよい。第１ストッパ４ｒは、基板２の厚み方向への基板２の移動を規制する第３規制部４ｃだけを構成してもよい。
【００３２】
言い換えれば、第１規制部４ａと、第２規制部４ｂと、第３規制部４ｃのうちのいずれか２つ以上は、１つの部材で兼用されていることが好ましい。
【００３３】
光源ユニット１０は、第１規制部４ａと、第２規制部４ｂと、第３規制部４ｃのうちのいずれか２つ以上が１つの部材で兼用された比較的に簡単な構造とすることができる。
【００３４】
支持部材４は、取付部材３の一部を利用して、第２ストッパ４ｓを形成している。第２ストッパ４ｓは、平面視において、Ｔ字状の外形形状をしている。光源ユニット１０は、第１ストッパ４ｒと第２ストッパ４ｓとで、基板２の長手方向への基板２の移動を規制する。第２ストッパ４ｓは、第２方向への基板２の移動を規制する第２規制部４ｂを構成することができる。取付部材３の底部３ｃｂには、Ｃ字状の開口部４ｓｂが形成される。
開口部４ｓｂは、取付部材３を構成する金属板の打ち抜き加工により形成することができる。第２ストッパ４ｓは、開口部４ｓｂにおいて、固定端が底部３ｃｂに固定されたＴ字状の部分で形成されている。第２ストッパ４ｓは、固定端と反対の自由端が、底部３ｃｂの厚み方向に撓むことができるように構成されている。第２ストッパ４ｓは、Ｔ字状の横棒の両端が折り曲げられた爪部４ｓａが底部３ｃｂから底部３ｃｂの厚み方向に立ち上がるように設けられている。第２ストッパ４ｓは、基板２を厚み方向に沿って変位可能な弾性を有していることが好ましい。第２ストッパ４ｓは、基板２を取付部材３に対して第１方向へスライドさせている間において基板２に押されて撓む。第２ストッパ４ｓは、基板２が所定位置に配置されることで、元の位置に復元する。第２ストッパ４ｓは、撓みが開放され取付面３ａａから突出する。第２ストッパ４ｓは、基板２が所定位置から外れる第２方向にスライドすることを、爪部４ｓａが規制する。
【００３５】
言い換えれば、第４規制部４ｄは、基板２の厚み方向に沿って変位可能な弾性を有している。第４規制部４ｄは、基板２を取付部材３に対して上記第１方向へスライドさせている間において、基板２に押されて撓む。第４規制部４ｄは、基板２が上記所定位置に配置されることで復元し、取付面３ａａから突出していることが好ましい。
【００３６】
光源ユニット１０は、第４規制部４ｄが基板２の厚み方向に沿って変位可能な弾性を有していることで、より組立工程を簡略化することが可能となる。第４規制部４ｄは、基板２が所定位置に配置されて、完全に復元する場合だけに限られず、第２方向への基板２の移動が規制できればよい。
【００３７】
支持部材４は、取付部材３の打ち抜き加工や折り曲げ加工を施すことにより形成することができる。支持部材４は、取付部材３と一体に構成されていてもよいし、別体に形成されていてもよい。支持部材４は、取付部材３と別体に構成されている場合、電気絶縁性を備えた材料により形成することができる。支持部材４は、第４規制部４ｄとして、第２ストッパ４ｓを用いたが、第２ストッパ４ｓを第４規制部４ｄに加え、第２規制部４ｂとして利用してもよい。
【００３８】
カバー部材５は、長尺状に構成されている。カバー部材５は、ＬＥＤ１が実装された基板２を覆うことができるように構成されている。カバー部材５は、ＬＥＤ１からの光を光出射面５ａａから出射させる。カバー部材５は、ＬＥＤ１や基板２を保護することができる。カバー部材５は、図５および図６に示すように、半円筒状の光出射部５ａと、一対の突壁部５ｂとを備えている。突壁部５ｂは、光出射部５ａの長手方向に沿って設けられている。一対の突壁部５ｂは、光出射部５ａの両端部より互いに平行に突出するように形成されている。一対の突壁部５ｂの先端それぞれには、互いに近づく向きに突出する突起部５ｄが設けられている。突起部５ｄは、取付部材３の突出部３ｄに引っ掛けることができるように構成されている。突壁部５ｂには、突壁部５ｂから突出する突起部５ｄと光出射部５ａとの間に、内突部５ｅを備えている。一対の内突部５ｅは、対向する突壁部５ｂに向かうように内側に突出する。光出射部５ａの長手方向における両端部には、延出部５ｇが設けられている。延出部５ｇは、光出射部５ａと連なるように、突壁部５ｂの外側まで延出している。延出部５ｇは、光源ユニット１０が器具本体３１に取り付けられた状態で、器具本体の３１の凹部３１ａａの開口端縁と重なるように設けられている。
【００３９】
カバー部材５は、突起部５ｄと内突部５ｅとで、側壁部３ｂを挟み持つことができるように構成されている。カバー部材５は、光出射部５ａと突壁部５ｂと突起部５ｄと延出部５ｇと内突部５ｅが一体的に形成されている。カバー部材５は、透光性を有している。カバー部材５は、ＬＥＤ１から放射された光を効率よく透過できる構成が好ましい。カバー部材５は、たとえば、アクリル樹脂、ポリカーボネート樹脂やガラスなどの透光性材料により形成することができる。カバー部材５は、たとえば、射出成形により形成することができる。カバー部材５は、透光性材料に拡散材を含有させてもよい。カバー部材５は、光出射部５ａにレンズ機能を備えた構成としてもよい。
【００４０】
カバーエンド６は、カバー部材５の両端の開口を閉塞する。カバーエンド６は、半円板状の外形形状に形成される。カバーエンド６は、取付部材３およびカバー部材５の長手方向の端部に取り付けられる。カバーエンド６は、たとえば、アクリル樹脂やポリカーボネート樹脂などの樹脂材料を用いて形成することができる。
【００４１】
電源ユニット８は、電源回路部８ａと、ケース８ｂとを有する。電源回路部８ａは、電子部品８ｃと、電源用基板８ｄとを備えている。電源用基板８ｄは、矩形平板状の外形形状をしている。電源用基板８ｄは、たとえば、プリント配線板を用いることができる。電源用基板８ｄには、複数種の電子部品８ｃが実装される。電子部品８ｃは、電源回路部８ａを構成する各種の回路を構成するために用いられる。各種の回路としては、たとえば、フィルタ回路、昇圧回路、降圧回路、主制御回路、制御電源回路、調光制御回路、消灯制御回路などが挙げられる。電源回路部８ａは、各種の回路に加えて、たとえば、入力コネクタ、整流器、出力コネクタなどを備えた構成とすることができる。電子部品８ｃとしては、たとえば、トランス、ダイオード、コンデンサ、スイッチング素子やマイクロコンピュータなどが挙げられる。入力コネクタは、外部電源と電気的に接続される。外部電源は、たとえば、商用交流電源を用いることができる。電源ユニット８には、交流電力が給電される。ケース８ｂは、一面に開口部が形成された矩形箱状の外形形状をしている。ケース８ｂは、電源回路部８ａを収納できるように構成されている。ケース８ｂは、開口部が取付部材３の底壁部３ａで塞がれるように、配置される。ケース８ｂは、金属製の板材の折り曲げ加工によって、形成することができる。ケース８ｂは、たとえば、ねじなどを用いて、取付部材３に取り付けられる。
【００４２】
絶縁材９は、取付部材３と基板２との間に配置させることができる。絶縁材９は、矩形のシート状の外形形状をしている。絶縁材９は、基板２と取付部材３との間の電気的な絶縁性を高めることができる。光源ユニット１０は、絶縁材９を介して、基板２と取付部材３とを配置させてもよいし、基板２と取付部材３とを直接当接させて配置してもよい。光源ユニット１０は、複数の絶縁材９を備えた構成とすることができる。複数の絶縁材９うちの１つは、外部端子部２ｃが実装された基板２の端部２ａｅと底壁部３ａとの間に設けている。絶縁材９は、平面視において、隣接する基板２同士に跨るように、取付部材３の凹所３ｃａの底部３ｃｂに取り付けることができる。絶縁材９は、隣接する基板２同士を取付部材３に取り付けた状態で、外部端子部２ｃと、底壁部３ａとの間の電気的な絶縁性を高めることができる。複数の絶縁材９のうちの１つは、基板２の第２コネクタ部２ｅ近傍と、底壁部３ａとの間に設けられている。絶縁材９は、平面視において、取付部材３の凹所３ｃａの底部３ｃｂに取り付けられた基板２の所定位置と、底壁部３ａの表面とに跨るように取り付けることができる。絶縁材９は、貫通孔３ａｆの一部を覆うように取付部材３に設けられている。絶縁材９は、電線８ｆが接続された第２コネクタ部２ｅと、底壁部３ａとの間の電気的な絶縁性を高めることができる。絶縁材９は、取付部材３と基板２との間の電気的な絶縁性を高めることができる。
【００４３】
絶縁材９の厚みは、絶縁材９と基板２との厚みの合計が、取付部材３から突出した延部４ａｂが基板２を底部３ｃｂ側に押圧できる程度に設計することができる。絶縁材９は、電気絶縁性を有するテープを用いることができる。絶縁材９は、取付部材３に対する基板２のスライドを滑らかに行わせることもできる。絶縁材９としては、たとえば、ポリエチレンテレフタレート樹脂などを用いることができる。絶縁材９の材料は、ポリエチレンテレフタレート樹脂だけに限られず、たとえば、シリコーン樹脂やアクリル樹脂を用いてもよい。絶縁材９は、絶縁フィルムであり、弾性を備えていることが好ましい。絶縁材９は、弾性力を有することで、基板２と取付部材３との密着性を高めることもできる。基板２と取付部材３とは、絶縁材９を介して、配置されることで、基板２の裏面２ａｂや取付部材３の取付面３ａａに凹凸があっても、効率よく熱伝導させることもできる。絶縁材９は、粘着性を備えさせ接着シートとして機能させてもよい。絶縁材９は、電気絶縁性と熱伝導性に優れ、弾性力を有するエラストマー材料を用いることができる。絶縁材９は、たとえば、樹脂中に金属粒子やセラミックス粒子を含有した構成とすることもできる。
【００４４】
以下では、光源ユニット１０の組立工程について説明する。
【００４５】
光源ユニット１０の組立工程では、ＬＥＤ１、外部端子部２ｃを基板２に予め実装して準備している。基板２は、ＬＥＤ１と、外部端子部２ｃとをそれぞれ基板２における表面２ａａの配線上にクリーム半田を介して配置させた上で、リフロー処理して実装することができる。組立工程では、第１ストッパ４ｒとなる金属片が凹所３ｃａの底部３ｃｂから板状に突出した状態の取付部材３を予め準備している。取付部材３には、長手方向の一端部に第２ストッパ４ｓが設けられている。取付部材３には、予め絶縁材９を貼り付けていてもよい。
【００４６】
組立工程では、図４Ａに示すように、基板２の嵌部２ｃａと、取付部材３の第１ストッパ４ｒとを対応させて、取付部材３の凹所３ｃａに基板２が近づくように移動させる。図４Ａでは、基板２の移動方向を白抜きの矢印で示している。組立工程では、基板２を取付部材３に取り付ける場合、基板２に設けた嵌部２ｃａと取付部材３に設けた第１ストッパ４ｒとの位置を合わせた状態で、凹所３ｃａの底部３ｃｂに基板２を載せ置く。基板２は、取付部材３に載せ置かれることで、嵌部２ｃａに第１ストッパ４ｒが挿入される。基板２は、図４Ｂに示すように、一対の第１ストッパ４ｒに短手方向の両側が挟まれて、基板２の短手方向への基板２の移動が規制される。基板２は、取付部材３に載せ置かれることで、基板２の裏面２ａｂが爪部４ｓａと当接してＴ字状の第２ストッパ４ｓを押圧する。第２ストッパ４ｓは、開口部４ｓｂの端部で固定され、基板２の厚み方向に撓んだ状態となる。組立工程では、基板２が底部３ｃｂに載せ置かれた状態で、爪部４ｓａが基板２に押圧されて第２ストッパ４ｓが撓んだ状態となる。図４Ｂでは、第２ストッパ４ｓが撓む方向を、一点鎖線で囲んだ矢印で示している。
【００４７】
次に、組立工程では、延部４ａｂが突出する向きから突部４ａａに近づくように、取付部材３に対して基板２をスライドさせる。言い換えれば、基板２は、第１方向に向かって、移動させられる。組立工程では、図４Ｃに示すように、取付部材３の長手方向に沿って、一対の第１ストッパ４ｒに挟まれた基板２を所定位置までスライドさせる。図４Ｃでは、基板２のスライド方向を、破線で囲んだ矢印で示している。
【００４８】
組立工程では、基板２のスライドにより所定位置に配置されることで、嵌部２ｃａの内縁と突部４ａａとが当接する。基板２は、嵌部２ｃａと突部４ａａとの内壁とが当接することで、第１方向への移動が規制される。組立工程では、基板２が取付部材３の所定位置までスライドされることで、第１ストッパ４ｒの延部４ａｂと底部３ｃｂとの間に挟まれる。組立工程では、延部４ａｂと底部３ｃｂとの間に挟まれた基板２は、基板２の厚み方向の移動が規制される。組立工程では、基板２のスライドにより所定位置に配置されることで、第２ストッパ４ｓの撓みが復元する。図４Ｃでは、第２ストッパ４ｓの撓みが復元する方向を、二点鎖線で囲んだ矢印で示している。組立工程では、基板２のスライドにより所定位置に配置されることで、第２ストッパ４ｓの撓みが復元すると、基板２の長手方向の端縁２ａｄが爪部４ｓａで抑えられる。
【００４９】
光源ユニット１０は、基板２が所定位置に配置された場合、嵌部２ｃａと突部４ａａとが当接することで、基板２の第１方向への基板２の移動が規制される。光源ユニット１０は、基板２が所定位置に配置された場合、突部４ａａと爪部４ｓａとで、基板２の第２方向の移動が規制される。光源ユニット１０は、突部４ａａと爪部４ｓａとで、基板２の長手方向の移動が規制される構成だけに限られない。光源ユニット１０は、２つの基板２を備える場合、少なくとも１つの第４規制部４ｄを備えることで、隣接する２つの基板２の第２方向の移動を抑制することができる。光源ユニット１０は、基板２が取付部材３の所定位置に配置されることで、第１規制部４ａと第２規制部４ｂと第３規制部４ｃとにより、基板２が取付部材３に取り付けられる。
【００５０】
光源ユニット１０の組立工程では、第１基板２ａと第２基板２ｂとをそれぞれ取付部材３に載せ置く場合、基板２を移動させる前に、第１基板２ａの第１コネクタ部２ｄと、第２基板２ｂの外部端子部２ｃとを接続させることができる。組立工程では、第１基板２ａをスライドさせて、所定位置に配置させた後、第２基板２ｂをスライドさせてもよい。組立工程では、所定位置の第１基板２ａに第２基板２ｂをスライドさせることで、第２基板２ｂを所定位置に配置させて、且つ第１基板２ａの第１コネクタ部２ｄと、第２基板２ｂの外部端子部２ｃとを電気的に接続させることもできる。
【００５１】
次に、光源ユニット１０の組立工程では、基板２が実装された取付部材３の底壁部３ａと反対の面側に、電源ユニット８が取り付けられる。組立工程では、電源ユニット８から導出する電線８ｆを、取付部材３に設けた貫通孔３ａｆに挿通させる。組立工程では、貫通孔３ａｆに挿通させた電線８ｆと、基板２の外部端子部２ｃと、を電気的に接続させる。
【００５２】
次に、組立工程では、基板２を覆うように、カバー部材５を取付部材３に取り付ける。組立工程では、カバー部材５の突起部５ｄが取付部材３の突出部３ｄに嵌め合わせられる。カバー部材５は、一対の突起部５ｄが、対応する突出部３ｄと各別に引っ掛けられることで、取付部材３に組み付けられる。組立工程では、カバー部材５の突壁部５ｂと、取付部材３の側壁部３ｂとを適宜に螺子止めすることで、カバー部材５と取付部材３を一体的に固定することができる。組立工程では、カバーエンド６がカバー部材５および取付部材３の長手方向の端部に取付けられることで、光源ユニット１０を組み立てることができる。
【００５３】
以下では、最初に、光源ユニット１０を備えた照明器具３０について、図５ないし図７を参照しながら簡単に説明する。
【００５４】
照明器具３０は、上述の光源ユニット１０と、光源ユニット１０が取り付けられる器具本体３１とを備えている。
【００５５】
照明器具３０は、天井直付け型の構造をしている。器具本体３１は、吊りボルト５２を用いて、天井材５１に取り付けられる。器具本体３１は、長尺の外形形状をしている。器具本体３１は、扁平な箱状に形成されている。器具本体３１は、中央部に凹部３１ａａを有している。凹部３１ａａは、器具本体３１の一面が矩形状に窪んだ外形形状をしている。凹部３１ａａは、器具本体３１の全長に亘って設けられている。凹部３１ａａは、光源ユニット１０を収容することができるように構成されている。器具本体３１ａの底面部３１ａには、挿通孔３１ｃａが設けられている。挿通孔３１ｃａは、外部電源と電気的に接続された給電用の電源線を挿通される。底面部３１ａは、器具本体３１の長手方向に沿って、複数の挿通孔３１ｃａが設けられている。
【００５６】
挿通孔３１ｃａは、給電用の電源線だけでなく、信号線が挿通されてもよい。照明器具３０は、信号線から伝送された外部制御信号により光源ユニット１０を制御させてもよい。底面部３１ａには、吊りボルト５２を通すボルト挿通孔３１ｃｂが設けられている。ボルト挿通孔３１ｃｂは、器具本体３１の長手方向に沿って、４つ設けられている。ボルト挿通孔３１ｃｂは、吊りボルト５２が挿通できるように構成されている。ボルト挿通孔３１ｃｂに挿通される吊りボルト５２には、ナット５３が締め付けられる。
【００５７】
器具本体３１は、吊りボルト５２にナット５３が締め付けられることで、天井材５１に固定される。器具本体３１は、短手方向において、凹部３１ａａの両側に凹部３１ａａの開口端縁から延出する傾斜部３１ｂを有している。傾斜部３１ｂは、凹部３１ａａから離れるにつれ、器具本体３１の厚みが薄くなるように傾斜している。器具本体３１は、板金を折り曲げ加工することで形成することができる。器具本体３１は、エンドキャップ３１ｅを備えている。エンドキャップ３１ｅは、器具本体３１の長手方向の両端部に設けられている。エンドキャップ３１ｅは、正面視において、台形形状としている。
【００５８】
器具本体３１の材料としては、鋼板を採用することができる。器具本体３１の材料は、鋼板だけに限られず、たとえば、アルミニウム、ステンレスや銅合金などを採用してもよい。照明器具３０は、器具本体３１を金属製とすることで、樹脂製の場合に比べて、光源ユニット１０のＬＥＤ１で発生した熱を、器具本体３１を通して効率よく外部に放熱させることが可能となる。
【００５９】
照明器具３０は、天井直付け型の構造だけに限られない。照明器具３０は、光源ユニット１０を取付部材３に取り付けることができる限り、適宜に他の構造の照明装置に利用することができる。照明器具３０では、器具本体３１は、光源ユニット１０の取り付けと取り外しを自在に行うことができるように構成されている。
【００６０】
次に、照明器具３０の施工手順について簡単に説明する。
【００６１】
施工手順では、最初に、天井材５１から導出される電源線を器具本体３１に設けた挿通孔３１ｃａに通す。施工手順では、図６に示すように、天井材５１を通して室内側に露出する吊りボルト５２をボルト挿通孔３１ｃｂに通した後、吊りボルト５２にナット５３をねじ込んで、器具本体３１を天井材５１に固定する。施工手順では、電源線を電源ユニット８に接続し、たとえば、器具本体３１および取付部材３にそれぞれ設けた嵌合構造によって光源ユニット１０が器具本体３１に取り付けられる。施工手順では、電源ユニット８を凹部３１ａａに収納して、光源ユニット１０を器具本体３１に取り付けられる。
【００６２】
（実施形態２）
図８Ａおよび図８Ｂに示す本実施形態の光源ユニット１０は、実施形態１の第２ストッパ４ｓの構造を変更した以外は、実施形態１と同様の構成としている。実施形態１と同様の構成要素には、同一の符号を付して説明を適宜省略する。
【００６３】
本実施形態の光源ユニット１０では、図８Ｂに示すように、第４規制部４ｄは、取付部材３の一部が起こされて、取付面３ａａから突出している。
【００６４】
本実施形態の光源ユニット１０では、取付部材３の一部が起こされて、取付面３ａａから突出している第４規制部４ｄを備えた構成とすることで、実施形態１の光源ユニット１０と同様に、より組立作業性の優れた構造とすることが可能となる。
【００６５】
より具体的には、本実施形態の光源ユニット１０は、第４規制部４ｄとして機能する第３ストッパ４ｔを備えている。第３ストッパ４ｔは、取付部材３の長手方向に沿って、基板２のスライドを開始させる長手方向の一方に設けられている。第３ストッパ４ｔは、基板２を取付部材３に対して長手方向へスライドさせて所定位置に配置された後、取付部材３の一部４ｔｃを起こすことで形成されている。第３ストッパ４ｔは、基板２の端縁２ａｄと当接することで、基板２の第２方向への基板２の移動を規制することができる。
【００６６】
本実施形態の光源ユニット１０は、基板２を取付部材３に載せ置いた後、第３ストッパ４ｔの一部４ｔｃを起こすことで、より組立作業性の優れた構造とすることができる。
【００６７】
本実施形態の光源ユニット１０は、基板２の端縁２ａｄを規制する突片４ｔａを取付部材３の底部３ｃｂから切り起こしている。突片４ｔａを備えた第３ストッパ４ｔは、側面視において、Ｖ字状の外形形状をしている。突片４ｔａは、底部３ｃｂの端部に設けた開口４ｔｂの＋形状の一部４ｔｃを折り曲げ加工することで形成することができる。
【００６８】
本実施形態の光源ユニット１０は、第４規制部４ｄとして、第３ストッパ４ｔを備える構成だけに限られず、第２規制部４ｂとして利用してもよい。本実施形態の光源ユニット１０は、第３ストッパ４ｔを備える限り、適宜に実施形態１の構成を用いることができる。
【００６９】
本実施形態の光源ユニット１０は、実施形態１の光源ユニット１０と同様に、器具本体３１に取り付けられることで、照明器具３０を構成することが可能となる。
【００７０】
（実施形態３）
図９に示す本実施形態の光源ユニット１０は、実施形態１の第２ストッパ４ｓの代わりに、取付部材３と別体に構成された第４ストッパ４ｕを第４規制部４ｄとして備えた以外は実施形態１と同様の構成としている。実施形態１と同様の構成要素には、同一の符号を付して説明を適宜省略する。
【００７１】
本実施形態の光源ユニット１０では、図９に示すように、第４規制部４ｄは、取付部材３に取り付けられて、取付面３ａａから突出している。
【００７２】
本実施形態の光源ユニット１０では、取付部材３に取り付けられて、取付面３ａａから突出している第４規制部４ｄを設けた構成により、実施形態１の光源ユニット１０と同様に、より組立作業性の優れた構造とすることが可能となる。
【００７３】
より具体的には、本実施形態の光源ユニット１０は、第２規制部４ｂとして、第４ストッパ４ｕを備えている。第４ストッパ４ｕは、取付部材３の長手方向に沿って、基板２のスライドを開始させる長手方向の一方に設けられる。第４ストッパ４ｕは、基板２を取付部材３に対して長手方向へスライドさせて所定位置に配置させた後、基板２の端縁２ａｄと当接するように取付部材３に取り付けられる。光源ユニット１０は、基板２の底部３ｃｂに第４ストッパ４ｕを挿入して固定することができるように、固定孔４ｕｄを備えている。第４ストッパ４ｕは、基板２が所定位置から外れる方向にスライドすることを規制することができる。
【００７４】
光源ユニット１０は、基板２を取付部材３に載せ置いた後、第４ストッパ４ｕを取付部材３に取り付けることで、より組立作業性の優れた構造とすることができる。
【００７５】
第４ストッパ４ｕは、先端部４ｕａと、連結部４ｕｂと、当接部４ｕｃとを備えている。第４ストッパ４ｕは、先端部４ｕａと、連結部４ｕｂと、当接部４ｕｃとが一体的に形成されている。第４ストッパ４ｕは、固定孔４ｕｄに取り付けられることができるように、弾性材料で形成されていることが好ましい。先端部４ｕａは、先端が先細りする外形形状としている。先端部４ｕａは、断面視において、台形状とすることができる。連結部４ｕｂは、先端部４ｕａと当接部４ｕｃとを連結している。連結部４ｕｂは、先端部４ｕａよりも径が狭く固定孔４ｕｄに挿入されるように構成されている。連結部４ｕｂは、円柱状の外形形状をしている。当接部４ｕｃは、基板２の端縁２ａｄと当接する。当接部４ｕｃは、連結部４ｕｂよりも外径が大きい円柱状の外形形状をしている。
【００７６】
光源ユニット１０は、基板２が取付部材３の所定位置にスライドされた後、第４ストッパ４ｕが固定孔４ｕｄに挿入されて、基板２の第２方向への基板２の移動を規制することができる。第４規制部４ｄは、先端部４ｕａと、連結部４ｕｂと、当接部４ｕｃとを備えた第４ストッパ４ｕの構成だけに限られない。第４規制部４ｄは、取付部材３に取り付けられて、取付面３ａａから突出する限り、樹脂リベット、ねじ、ボルトとナットなどの抜け具を利用することもできる。
【００７７】
本実施形態の光源ユニット１０は、第４規制部４ｄとして、第４ストッパ４ｕを備える構成だけに限られず、第２規制部４ｂとして利用してもよい。本実施形態の光源ユニット１０は、第４ストッパ４ｕを備える限り、適宜に実施形態１や実施形態２の構成を用いることができる。
【００７８】
本実施形態の光源ユニット１０は、実施形態１や実施形態２の光源ユニット１０と同様に、器具本体３１に取り付けられることで、照明器具３０を構成することが可能となる。
【符号の説明】
【００７９】
１  ＬＥＤ
２  基板
２ａｄ  端縁
２ａｅ  端部
２ｃ  外部端子部
３  取付部材
３ａａ  取付面
４  支持部材
４ａ  第１規制部
４ｂ  第２規制部
４ｃ  第３規制部
４ｄ  第４規制部
８ｆ  電線
１０  光源ユニット
３０  照明器具
３１  器具本体
【図１】
0006467753.tif 000002
【図２】
0006467753.tif 000003
【図３】
0006467753.tif 000004
【図４】
0006467753.tif 000005
【図５】
0006467753.tif 000006
【図６】
0006467753.tif 000007
【図７】
0006467753.tif 000008
【図８】
0006467753.tif 000009
【図９】
0006467753.tif 000010